(57)【要約】【課題】構造が簡単で且つ気密性に優れた住宅用として好適な引戸装置を提供する。【解決手段】吊り戸１０はその上部両端を第１及び第２の回転フック１３−１、１３−２を介して移動側レール１２に吊下げ支持され、該第１及び第２の回転フック１３−１、１３−２の上部にはそれぞれ第１及び第２のガイドローラ１５−１、１５−２を設け、第１及び第２のガイドローラ１５−１、１５−２はガイド溝１７に沿って移動するようになっている。ガイド溝１７は直線部１７ａと、第１及び第２の曲り部１７ｂ、１７ｃを有し、中間点に第１のガイドローラ１５−１を通過させ、第２のガイドローラ１５−２を第２の曲り部１７ｃに導くポイントカム１８を設け、第１及び第２のガイドローラ１５−１、１５−２はそれぞれ第１及び第２の曲り部１５−１、１５−２に案内されるとスライドレール１１と吊り戸１０の間の距離変化を吸収するように構成した。【選択図】図１
2005048435.tif 000002
【特許請求の範囲】
【請求項１】
固定側レールに沿って移動する移動側レールを有するスライドレールを具備し、該移動側レールに吊り戸を吊り下げ支持した構造の引戸装置であって、
前記吊り戸はその上部両端を第１及び第２の回転フックを介して前記移動側レールに吊下げ支持されており、該第１及び第２の回転フックの上部にはそれぞれ第１及び第２のガイドローラが設けられ、
前記第１及び第２のガイドローラはガイド溝に沿って移動するようになっており、
前記ガイド溝は直線部と、該直線部の終端及び中間点に該ガイド溝に連通する且つ同一方向に曲がる第１及び第２の曲り部を有し、
前記中間点に前記第１のガイドローラを通過させ、第２のガイドローラを前記第２の曲り部に導く案内機構を設け、
前記第１及び第２のガイドローラはそれぞれ前記第１及び第２の曲り部に案内されると前記スライドレールと吊り戸の間の距離変化を前記第１及び第２の回転フックで吸収するように構成したことを特徴とする引戸装置。
【請求項２】
請求項１に記載の引戸装置において、
前記案内機構は支軸を中心に回動するポイントカムを具備し、該ポイントカムは前記第１のガイドローラの前記吊り戸を開く方向の動作により所定角度回動して、前記ガイド溝の直線部を開く第１の姿勢を維持し、該第１のガイドローラの前記吊り戸を閉じる方向の動作により所定角度回動して、前記ガイド溝の直線部を閉じる前記第２のガイドローラを前記第１の曲り部に導く第２の姿勢を維持するように構成されていることを特徴とする引戸装置。
【請求項３】
請求項２に記載の引戸装置において、
前記ポイントカムの第１及び第２の姿勢の維持は一端を該ポイントカムの所定位置に係合させ、他端が固定側の所定位置に係合するバネ材の弾発力で行うように構成されていることを特徴とする引戸装置。
【発明の詳細な説明】
【技術分野】
【０００１】
本発明は、スライドレールを具備し、移動側レールに吊り戸を吊り下げ支持した構造の引戸装置に関するものである。
【背景技術】
【０００２】
固定側レールに沿って移動する移動側レールを有するスライドレールを具備し、該スライドレールの移動側レールに吊り戸を吊り下げ支持した構造の引戸装置がある。この引戸装置は、戸が開閉する形式の開き戸に比較し、広いスペースを必要としない、即ち高スペース効率を有するが、引戸を移動する際に戸枠の間の摩擦を避けるため、戸枠に対して所定の間隔を設ける必要があり、そのために気密性が悪いという問題がある。
【０００３】
また、気密性を保つものとして特許文献１に示すように、プラグドア装置もあるが構造が複雑となり、住宅用の引戸として好適なものではなかった。
【特許文献１】特許第２５９４５２８号公報
【発明の開示】
【発明が解決しようとする課題】
【０００４】
本発明は上記のように従来の引戸装置は密閉性が悪く、密閉性を良くしようとするとプラグドア装置のように構造が複雑になるという問題を解決し、構造が簡単で且つ気密性に優れた住宅用として好適な引戸装置を提供することを目的とする。
【課題を解決するための手段】
【０００５】
上記課題を解決するため請求項１に記載の発明は、固定側レールに沿って移動する移動側レールを有するスライドレールを具備し、該移動側レールに吊り戸を吊り下げ支持した構造の引戸装置であって、吊り戸はその上部両端を第１及び第２の回転フックを介して移動側レールに吊下げ支持されており、該第１及び第２の回転フックの上部にはそれぞれ第１及び第２のガイドローラが設けられ、第１及び第２のガイドローラはガイド溝に沿って移動するようになっており、ガイド溝は直線部と、該直線部の終端及び中間点に該ガイド溝に連通する且つ同一方向に曲がる第１及び第２の曲り部を有し、中間点に第１のガイドローラを通過させ、第２のガイドローラを前記第２の曲り部に導く案内機構を設け、第１及び第２のガイドローラはそれぞれ第１及び第２の曲り部に案内されるとスライドレールと吊り戸の間の距離変化を前記第１及び第２の回転フックで吸収するように構成したことを特徴とする。
【０００６】
また、請求項２に記載の発明は、請求項１に記載の引戸装置において、案内機構は支軸を中心に回動するポイントカムを具備し、該ポイントカムは第１のガイドローラの吊り戸を開く方向の動作により所定角度回動して、ガイド溝の直線部を開く第１の姿勢を維持し、該第１のガイドローラの吊り戸を閉じる方向の動作により所定角度回動して、ガイド溝の直線部を閉じる第２のガイドローラを第１の曲り部に導く第２の姿勢を維持するように構成されていることを特徴とする。
【０００７】
また、請求項３に記載の発明は、請求項２に記載の引戸装置において、ポイントカムの第１及び第２の姿勢の維持は一端を該ポイントカムの所定位置に係合させ、他端が固定側の所定位置に係合するバネ材の弾発力で行うように構成されていることを特徴とする。
【発明の効果】
【０００８】
請求項１に記載の発明によれば、ガイド溝は直線部の中間点に第１のガイドローラを通過させ、第２のガイドローラを第２の曲り部に導く案内機構を設け、第１及び第２のガイドローラがそれぞれ第１及び第２の曲り部に案内されるとスライドレールと吊り戸の間の距離変化を第１及び第２の回転フックで吸収するように構成したので、１本のガイド溝で、吊り戸の開閉動と戸枠に密着するための戸枠側への移動ができるから、構造が簡単で装置がコンパクトになる。
【０００９】
請求項２に記載の発明によれば、案内機構として第１のガイドローラの吊り戸を開く方向の動作により所定角度回動して、ガイド溝の直線部を開く第１の姿勢を維持し、該第１のガイドローラの吊り戸を閉じる方向の動作により所定角度回動して、ガイド溝の直線部を閉じる第２のガイドローラを第１の曲り部に導く第２の姿勢を維持するポイントカムを用いるので、簡単な構成の案内機構で、且つ確実に第１のガイドローラの中間点の通過と、第２のガイドローラの中間点での第２の曲り部への案内が可能となる。
【００１０】
請求項３に記載の発明によれば、ポイントカムの第１及び第２の姿勢の維持をバネ材の弾発力で行なうので、簡単な構成で、且つ確実に第１及び第２の姿勢を維持させることができる。
【発明を実施するための最良の形態】
【００１１】
以下、本発明の実施の形態例を図面に基づいて説明する。図１及び図２は本発明に係る引戸装置の構成例を示す図で、図１は引戸装置の外観構成を示す図、図２（ａ）は平面図、図２（ｂ）は正面図である。図において、１０は吊り戸であり、該吊り戸１０の上端両側はスライドレール１１の移動側レール１２に第１の回転フック１３−１、第２の回転フック１３−２を介して吊り下げ支持されている。スライドレール１１は後に詳述するように固定側レール１４に沿って移動側レール１２が矢印Ａ（吊り戸１０の閉じ方向）、矢印Ｂ（吊り戸１０の開き方向）に示すように往復動ができるようになっている。
【００１２】
第１の回転フック１３−１及び第２の回転フック１３−２のそれぞれ上部には、第１のガイドローラ１５−１及び第２のガイドローラ１５−２が回転自在に取付けられており、該第１及び第２のガイドローラ１５−１、１５−２はカバー１６に設けられたガイド溝１７に沿って移動するようになっている。カバー１６はスライドレール１１や第１及び第２の回転フック１３−１、１３−２を覆う断面コ字状のカバーであり、該カバー１６の天井内面には前記ガイド溝１７が設けられている（図７参照）。ガイド溝１７は直線部１７ａと、該直線部１７ａの終端点Ｃ及び中間点Ｄに該ガイド溝１７に連通し、且つ同一方向に曲がる第１及び第２の曲り部１７ｂ、１７ｃを有している。
【００１３】
ガイド溝１７の直線部１７ａの中間点Ｄの近傍には、ポイントカム１８が支軸１９を介して回動自在に取り付けられている。該ポイントカム１８は、第１のガイドローラ１５−１が当接する突起部１８ａとその略反側に、図３に示すように、第２のガイドローラ１５−２を案内する案内溝１８ｂを形成するにホーク１８ｃ、１８ｄを有する。２０はコイルバネであり、該コイルバネ２０の一端は突起部１８ａに係止され、コイルバネ２０の他端はカバー１６の止ピン１６ａに係止されている。吊り戸１０が開いた状態では、ポイントカム１８は図３の２点鎖線Ｅに示す位置にあり、突起部１８ａはガイド溝１７内に突出すると共に、ホーク１８ｃはカバー１６に設けられた係止ピン１６ｂに当接した状態で、ガイド溝１７の直線部１７ａは開けられた状態にある。
【００１４】
吊り戸１０を開いた状態から吊り戸１０の取っ手（図示せず）に力を加え、矢印Ａに示すように移動（閉じる動作に移動）させると、先ず第１のガイドローラ１５−１が突起部１８ａに当接する。また、更にこれによりポイントカム１８は支軸１９を中心に回動し、図３の実線Ｆに示す位置となり、ホーク１８ｃ、１８ｄはガイド溝１７の直線部１７ａを横切り閉じると共に、ポイントカム１８の案内溝１８ｂとガイド溝１７の第１の曲り部１７ｂが一致する。
【００１５】
吊り戸１０を矢印Ａ方向に更に移動させ、第１のガイドローラ１５−１が図２のＣ点、即ち直線部１７ａの終端点Ｃに達すると、第２のガイドローラ１５−２がＤ点、即ち直線部１７ａの中間点Ｄに達する。また、更に吊り戸１０を矢印Ａ方向に移動させると、第１のガイドローラ１５−１及び第２のガイドローラ１５−２はそれぞれ支軸２７、２７（図７参照）を中心に回動しながら、第１の曲り部１７ｂ及び第２の曲り部１７ｃに沿って移動しその終端に達する。この第１の曲り部１７ｂ及び第２の曲り部１７ｃをそれぞれ第１のガイドローラ１５−１及び第２のガイドローラ１５−２が移動することにより、吊り戸１０全体が戸枠２１の方向に移動し、終端で戸枠２１の面に密接し戸枠２１に囲まれた空間を密閉状態で閉じる。
【００１６】
図４乃至図６はスライドレールの構成を示す図で、図４は外観図、図５は正面図、図６は横断面図である。スライドレール１１は固定側レール１４と移動側レール１２を具備する。固定側レール１４は断面コ字状の補強チャンネル２４と該補強チャンネル２４内に嵌入された固定側レール部材２５からなり、該固定側レール部材２５の上下内面のボール転動溝２５ａ、２５ａと移動側レール１２の上下外面のボール転動溝１２ａ、１２ａの間にはリテーナ２２で保持された多数のボール２３が挿入配列されている。固定側レール１４の両端には補強チャンネル２４を折り曲げて形成したストッパー２４ａ、２４ｂが設けられており、移動側レール１２を図５の矢印Ａの方向に移動させて、固定側レール１４の左端部に達するとストッパー２４ａに当接して停止し、また矢印Ｂの方向に移動させて固定側レール１４の右端部に達するとストッパー２４ｂに当接して停止するようになっている。
【００１７】
図７は本発明に係る引戸装置の上部断面図である。図示するように、カバー１６の側壁面にはスライドレール１１の固定側レール１４が固定され、移動側レール１２には断面コ字状のブラケット２６を介して回転フック１３−１が支軸２７を中心に回動自在に取付けられている。支軸２７には図８に示すようなつる巻きバネ２８が装着されている。該つる巻きバネ２８の一端２８ａはカバー１６に設けられたピン１６ｄに係止され、つる巻きバネ２８の一端２８ｂは回転フック１３−１に形成された孔に挿入されている。これにより、回転フック１３−１は中立点に維持される。なお、図示は省略するが、回転フック１３−２も同様に、つる巻きバネ２８で中立点に維持されている。
【００１８】
上記構成の引戸装置において、吊り戸１０を開いた状態から図２の矢印Ａ方向（吊り戸を閉じる方向）に移動させ、第１のガイドローラ１５−１及び第２のガイドローラ１５−２がそれぞれガイド溝１７の直線部１７ａの終端点Ｃ及び中間点Ｄに達する。更に吊り戸１０を更に矢印Ａ方向に移動させると、第１のガイドローラ１５−１及び第２のガイドローラ１５−２がそれぞれ第１の曲り部１７ｂ及び第２の曲り部１７ｃに沿って移動し、第１のガイドローラ１５−１及び第２のガイドローラ１５−２とスライドレール１１との間隔寸法が次第に小さくなる。この間隔寸法変化を回転フック１３−１、１３−２がそれぞれつる巻きバネ２８の弾発力に抗して支軸２７、２７を中心に回動することにより吸収する。そして第１のガイドローラ１５−１及び第２のガイドローラ１５−２はそれぞれ第１の曲り部１７ｂ及び第２の曲り部１７ｃの終端に達する。また、スライドレール１１の移動側レール１２はその端部が直線部１７ａの終端点Ｃを通過した所定の位置でストッパー２４ａに当接して停止する。
【００１９】
上記のように、第１の回転フック１３−１及び第２の回転フック１３−２に吊り下げ支持された吊り戸１０の全体が第１及び第２のガイドローラ１５−１、１５−２がそれぞれ第１及び第２の曲がり部１７ｂ、１７ｃを移動するのに伴って、戸枠２１側に移動する。そして第１及び第２のガイドローラ１５−１、１５−２がそれぞれ第１及び第２の曲がり部１７ｂ、１７ｃの終端に達したとき、吊り戸１０が戸枠２１の面に密接するように設定、調整すれば、戸枠２１に囲まれた空間は吊り戸１０で密閉状態に閉じる。
【００２０】
吊り戸１０と戸枠２１の当接の双方又は片方にゴム材等の弾性材を設けることにより、密閉状態は良好に維持できる。なお、吊り戸１０と戸枠２１の当接状態を維持するためには、吊り戸１０と戸枠２１のいずれか一方に磁石を設け他方に吸着させる磁性体を設けるか、又は双方に吸着し合うように異なる磁極の磁石を設けるとよい。また、吊り戸１０と戸枠２１の当接状態を機械的に維持するクリップ等の固定手段を用いてもよい。
【００２１】
なお、上記例では、ガイド溝１７の直線部１７ａの中間点に、直線部１７ａに連通する第２の曲がり部１７ｃを設ける例を示したが、ポイントカム１８の案内溝１８ｂに第２の曲がり部１７ｃの作用を持たせ、直線部１７ａに連通する第２の曲がり部１７ｃを省略し、開口のみとしてもよい。また、直線部１７ａに連通する第２の曲がり部１７ｃを設けている場合は、中間点Ｄの近傍に設けるポイントは上記形状のものに限定されるものではなく、要は吊り戸１０を閉じるとき中間点Ｄで第１のガイドローラ１５−１を通過させ第２のガイドローラ１５−２を第２の曲がり部１７ｃに案内できるものであればよい。即ち、吊り戸１０が開いている状態では、ガイド溝１７の直線部１７ａを開き、吊り戸１０が閉じる方向に移動し第１のガイドローラ１５−１が中間点Ｄを通過したとき、直線部１７ａを閉じると共に、第２のガイドローラ１５−２を第２の曲がり部１７ｃに案内できるものであればよい。
【００２２】
例えば、図９に示すようにガイド溝１７の直線部１７ａを斜めに横切ることができるレバー３１を出し入れできソレノイド３０を設けると共に、直線部１７ａの中間点Ｄを通過した第１のガイドローラ１５−１を検出するセンサ３２を設け、センサ３２がＢ方向（吊り戸１０を開く方向）に移動するガイドローラ１５−１を検出したら、レバー３１をＧ位置まで引き込み直線部１７ａを開き、また、センサ３２がガイドローラ１５−１がＡ方向（吊り戸１０を閉じる方向）に移動し、中間点Ｄを通過したことを検出したら、レバー３１をＨ位置で突き出し、直線部１７ａを閉じ、第２のガイドローラ１５−２を第２の曲がり部１７ｃに案内するようにしてもよい。
【００２３】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載がない何れの形状や構造や材質であっても、本願発明の作用・効果を奏する以上、本願発明の技術的思想の範囲内である。
【図面の簡単な説明】
【００２４】
【図１】本発明に係る引戸装置の構成例を示す外観図である。
【図２】本発明に係る引戸装置の構成例を示す図で、図２（ａ）は平面図、図２（ｂ）は正面図である。
【図３】本発明に係る引戸装置のポイントカム部分の平面図である。
【図４】本発明に係る引戸装置に用いるスライドレールの外観図である。
【図５】本発明に係る引戸装置に用いるスライドレールの正面図である。
【図６】本発明に係る引戸装置に用いるスライドレールの横断図である。
【図７】本発明に係る引戸装置の上部横断面図である。
【図８】本発明に係る引戸装置の回転フック付勢用つる巻きバネの外観図である。
【図９】本発明に係る引戸装置のガイドローラの案内機構を示す図である。
【符号の説明】
【００２５】
１０      吊り戸
１１      スライドレール
１２      移動側レール
１３−１  回転フック
１３−２  回転フック
１４      固定側レール
１５−１  ガイドローラ
１５−２  ガイドローラ
１６      カバー
１７      ガイド溝
１８      ポイントカム
１９      支軸
２０      コイルバネ
２１      戸枠
２２      リテーナ
２３      ボール
２４      補強チャンネル
２５      固定側レール部材
２６      ブラケット
２７      支軸
２８      つる巻きバネ
３０      ソレノイド
３１      レバー
３２      センサ
【図１】
2005048435.tif 000003
【図２】
2005048435.tif 000004
【図３】
2005048435.tif 000005
【図４】
2005048435.tif 000006
【図５】
2005048435.tif 000007
【図６】
2005048435.tif 000008
【図７】
2005048435.tif 000009
【図８】
2005048435.tif 000010
【図９】
2005048435.tif 000011